(57)【要約】  透明な幾何学形状の覗き窓付きのペットキャリアは、硬質プラスチック、ガラスまたは同様の組合せでつくられ、ペット頭部用スペースを可能とすることにより輸送中ペットのための覗き窓として機能する外向きのラベットエッジを有する。ペットがキャリア内に一旦入ると、幾何学形状の覗き窓により提供されるスペース内にペットの頭部が通常自動的に配置される。【選択図】  図１
2017503496.tif 000002
【特許請求の範囲】
【請求項１】
輸送中のペットの覗き窓として作用し、ペットの頭部のためのスペースを可能とし、光を入れる明かり取りを可能とし、ペットを外に表示することを可能とし、これらに限定されるものではないが例えば円筒状の、卵形の、三日月形の、長方形の、正方形の、及び／又は球形のグローブ形状体としての透明の幾何学形状の窓と、
前記窓が取り付けられたコンテナ容器と、
ステッチ、接着、マウンティング、ファスニングまたはその他の手段のうちのいずれかを用いて前記コンテナ容器に取り付けられた前記窓のラベットエッジと、
を有することを特徴とするペットキャリア。
【請求項２】
前記幾何学形状体は、子午線赤道上に外方に向かうラベットエッジを有することを特徴とする請求項１に記載のペットキャリア。
【請求項３】
前記幾何学形状体の本体は、硬質プラスチック、ガラス、またはガラスとプラスチックを組合せたものであることを特徴とする請求項１に記載のペットキャリア。
【発明の詳細な説明】
【関連出願のためのクロスリファレンス】
【０００１】
米国意匠特許番号：ＵＳ Ｄ６９４，９６１ Ｓ
米国特許番号：ＵＳ ８，４５９，２０８ Ｂ２
【技術分野】
【０００２】
本発明は幾何学形状覗き窓付きペットキャリアに関する。
【背景技術】
【０００３】
トートバッグ、バッグ、バックパック、ダッフルバッグまたはラゲージ等と併せて同時に用いられるデバイスの設計、すなわち透明の硬質プラスチック、ガラスまたは類似の組合せからなり、ペットの頭部のためのスペースを可能とし、光がコンテナ容器に入ることを可能とし、ペットをコンテナ容器の外に表示することを可能とし、ペットが直面する危害や損傷からペットを保護し、ペットの快適さを増大させ、かつ人間工学的に正しいペットの輸送を可能とする輸送中ペット用の覗き窓として作用するように使用される球体グローブ形状体は、これまでになされていない。
【発明の概要】
【０００４】
本発明は、これらに限定されるものではないが円筒形、卵形、三日月形、長方形、正方形、及び／又は球形の透明幾何学形状のプロビジョンを意図したものであり、またペット輸送中においてトートバッグ、バッグ、バックパック、ダッフルバッグ、ラゲージ等のなかに適正にペットを収容したときにペットの覗き窓として機能する外向きのラベットエッジを有するものである。透明の幾何学形状は、これらに限定されるものではないが円筒形、卵形、三日月形、長方形、正方形、及び／又は球形であり、輸送用コンテナ容器の内部に外からの光が入ることを可能とし、かつ輸送されているペットがコンテナ容器から外を見ることを可能とする外向きのラベットエッジを有するものである。また、透明の幾何学形状は、これらに限定されるものではないが円筒形、卵形、三日月形、長方形、正方形、及び／又は球形であり、ペットの快適さを増大させることを可能とし、かつ人間工学的に正しいペットの輸送を可能とする外向きのラベットエッジを有するものである。
【０００５】
透明の幾何学形状の外向きのラベットエッジは、円筒形、卵形、三日月形、長方形、正方形、及び／又は球形の形状の物体であることに限定されるものではなく、ステッチ、接着、マウンティング、またはファスニングの手段を介することにより、トートバッグ、バッグ、バックパック、ダッフルバッグ、ラゲージ等のなかにペットを入れやすくする外向きのラベットエッジを有する。ラベットエッジは、対応するコンテナ容器の内部に固定されている。対応するコンテナ容器は、透明の球形体の内周と等しい円形の切り抜きを有している。ペットをペットキャリア内に一旦おくと、幾何学形状の覗き窓により提供されるスペース内に通常自動的にペットの頭部が置かれる。
【図面の簡単な説明】
【０００６】
【図１】図１は、ペットキャリッジ、ダッフルバッグ、機内持込み手荷物、トートバッグまたは他の同様のコンテナ容器内にいるペットの頭部用スペースを可能とし、輸送中ペットの覗き窓として機能する透明球体グローブ形状体を示す三次元図である。
【図２】図２は、ステッチ、接着、マウンティングまたはファスニングの手段を介して取り付けられる前の外向きのラベットエッジをもつ透明球体グローブ形状体を示す三次元図である。
【図３】図３は、三次元図示のハンドル及び又はストラップ付きペットキャリッジ、ダッフルバッグ、機内持込み手荷物、トートバッグまたはその他の同様のコンテナ容器内にいるペットの頭部用スペースを可能とし、輸送中ペットの覗き窓として機能する透明球体グローブ形状体を示す二次元側面図である。
【図４】図４は、三次元図示のハンドル及び又はストラップ付きペットキャリッジ、ダッフルバッグ、機内持込み手荷物、トートバッグまたはその他の同様のコンテナ容器内にいるペット頭部用スペースを可能とすることにより輸送中ペットの覗き窓として機能する透明球体グローブ形状体を示す二次元前面図である。
【図５】図５は、ペットキャリッジ、バックパック、ナップサック、パック、ラゲージ、機内持込み手荷物、トートバッグまたはその他の同様のコンテナ容器内にいるペットの頭部用スペースを可能とし、輸送中ペットの覗き窓として機能する透明球体グローブ形状体を示す三次元図である。
【図６】図６は、ペットキャリッジ、バックパック、ナップサック、パック、ラゲージ、機内持込み手荷物、トートバッグまたはその他の同様のコンテナ容器内にいるペットの頭部用スペースを可能とし、輸送中ペットの覗き窓として機能する透明球体グローブ形状体を示す二次元側面図である。
【図７】図７は、ペットキャリッジ、バックパック、ナップサック、パック、ラゲージ、機内持込み手荷物、トートバッグまたはその他の同様のコンテナ容器内にいるペットの頭部用スペースを可能とし、輸送中ペットの覗き窓として機能する透明球体グローブ形状体を示す二次元前面図である。
【図８】図８は、ペットキャリッジ、車輪付きラゲージ、車輪付きスーツケース、ラゲージ、スーツケース、小型スーツケースまたはその他の同様のコンテナ容器内にいるペットの頭部用スペースを可能とし、輸送中ペットの覗き窓として機能する透明球体グローブ形状体を示す三次元図である。
【図９】図９は、ペットキャリッジ、車輪付きラゲージ、車輪付きスーツケース、ラゲージ、スーツケース、小型スーツケースまたはその他の同様のコンテナ容器内にいるペットの頭部用スペースを可能とし、輸送中ペットの覗き窓として機能する透明球体グローブ形状体を示す二次元側面図である。
【図１０】図１０は、横置きされたペットキャリッジ、車輪付きラゲージ、車輪付きスーツケース、ラゲージ、スーツケース、小型スーツケースまたはその他の同様のコンテナ容器内にいるペットの頭部用スペースを可能とし、輸送中ペットの覗き窓として機能する透明球体グローブ形状体を示す二次元側面図である。
【図１１】図１１は、立直されたペットキャリッジ、車輪付きラゲージ、車輪付きスーツケース、ラゲージ、スーツケース、小型スーツケースまたはその他の同様のコンテナ容器内にいるペットの頭部用スペースを可能とし、輸送中ペットの覗き窓として機能する透明球体グローブ形状体を示す二次元前面図である。
【発明を実施するための形態】
【０００７】
図１、図３、図４、図５、図７、図８、図９、図１０に、輸送中ペットのペット頭部用のスペースを可能とする覗き窓として機能するグローブ形状体であって、これらに限定されるものではないが円筒形、卵形、三日月形、長方形、正方形、及び／又は球形の透明の幾何学形状を示す。透明の幾何学形状は、ペット頭部１のためのスペースを可能とすることにより輸送中のペットの覗き窓として機能するものであって、これらに限定されるものではないが円筒形、卵形、三日月形、長方形、正方形、及び／又は球形のグローブ形状体であり、硬質プラスチック、ガラス、またはガラスとプラスチックまたはその他の適当な材料の組合せからなるものである。また、透明の幾何学形状は、コンテナ容器に光が入ることを可能とし、ペット頭部用スペースを可能とすることにより輸送中のペットの覗き窓として機能するものであって、これらに限定されるものではないが円筒形、卵形、三日月形、長方形、正方形、及び／又は球形のグローブ形状体であり、ペットをコンテナ容器の外に表示することを可能とし、ペットが直面する危害や損傷からペットを保護し、ペットの快適さを増大させ、かつ人間工学的に正しいペットの輸送を可能とするものである。
【０００８】
透明の幾何学形状は、ペットの頭部用スペースを可能とすることにより輸送中のペットの覗き窓として機能するものであって、これらに限定されるものではないが円筒形、卵形、三日月形、長方形、正方形、及び／又は球形のグローブ形状体であり、半分2に分割されるように切断されるものである。また、幾何学形状は、適正に取り付けられるために必要かつ要求に応じて異なるポイントで切断されてもよい。
【０００９】
透明の幾何学形状は、ペット頭部用スペースを可能とすることにより輸送中のペットの覗き窓として機能するものであって、これらに限定されるものではないが円筒形、卵形、三日月形、長方形、正方形、及び／又は球形のグローブ形状体であり、それによってステッチ、接着、マウンティングまたはファスニングの手段にかかわらず、透明球体グローブ形状体4の内周と同等の円形の切り抜きをもつ対応するコンテナの内側にラベットエッジ3が貼り付けられたものである。
【００１０】
透明の幾何学形状は、ペット頭部用スペースを可能とすることにより輸送中のペットの覗き窓として機能するものであって、これらに限定されるものではないが円筒形、卵形、三日月形、長方形、正方形、及び／又は球形のグローブ形状体であって、図１、図３、図４に示すペットキャリッジ、またはダッフルを含むコンテナ、ラゲージ機内持込み手荷物、トートバッグ、またはその他の同様のコンテナ容器に対して、また図５、図６、図７に示すバックパック、ナップサック、パック、ラゲージ、機内持込み手荷物、トートバッグ、またはその他の同様のコンテナに対して、及び／又は図８、図９、図１０に示す車輪付きラゲージ、車輪付きスーツケース、ラゲージ、スーツケース、小型スーツケース、またはその他の同様のコンテナ容器に対して取り付けかつ組み込むことができる。
【符号の説明】
【００１１】
1…覗き窓として機能する透明球体グローブ形状体
2…子午線赤道上で半分に切断される透明球体グローブ形状体をもたらす分割ポイント
3…子午線赤道上の外向きのラベットエッジ
4…透明球体グローブ形状体の内周と同等の円形の切抜き
【図１】
2017503496.tif 000003
【図２】
2017503496.tif 000004
【図３】
2017503496.tif 000005
【図４】
2017503496.tif 000006
【図５】
2017503496.tif 000007
【図６】
2017503496.tif 000008
【図７】
2017503496.tif 000009
【図８】
2017503496.tif 000010
【図９】
2017503496.tif 000011
【図１０】
2017503496.tif 000012
【図１１】
2017503496.tif 000013
【国際調査報告】
2017503496.tif 000014